(57)【要約】【課題】盛土地盤造成用インサートと丸鋼製支持バーの接続構造において、支持バーにおける剪断耐力を高め、盛土地盤の造成時に剪断力を受けて支持バーが折れたりして破損することを防止する。【解決手段】土留め用コンクリートパネルＰに埋設されるインサートＩの接続穴１５には、盛土地盤Ｇに埋設される支持バーＢの一端ねじ部１１に合わせて、深さ方向奥側に雌ねじ部１５ａを形成する一方、接続穴１５の挿入口１６から雌ねじ部１５ａまでの深さ範囲に、その雌ねじの谷径より大きく且つ支持バーＢの軸部１０と略同径の嵌合穴部１５ｂを形成する。支持バーＢは、一端ねじ部１１を、接続穴１５に挿入して雌ねじ部１５ａに螺合すると、軸部１０における一端ねじ部１１寄りの同じ円柱部分１０ａが、嵌合穴部１５ｂの深さ分の長さにわたり嵌合した状態で、インサートＩに接続される。【選択図】　　　　図１
2004011364.tif 000002
【特許請求の範囲】
【請求項１】
軸部の両端にねじ部を有する丸鋼製の支持バーであって、一端ねじ部を、盛土地盤の土留め用コンクリートパネルに埋設したインサートの接続穴に挿入して螺着する一方、他端ねじ部に、前記盛土地盤側でアンカープレートを螺着して前記コンクリートパネルを支承する支持バーを、前記インサートに接続する接続構造において、
該インサートの接続穴には、前記支持バーの一端ねじ部に合わせて深さ方向奥側に、雌ねじ部を形成する一方、前記接続穴の挿入口から前記雌ねじ部までの深さ範囲に、その雌ねじの谷径より大きく且つ前記支持バーの軸部と略同径の嵌合穴部を形成し、
前記支持バーは、その一端ねじ部を、前記接続穴に挿入して前記雌ねじ部に螺合すると、前記軸部が前記嵌合穴部の深さ分だけ該嵌合穴部に嵌合して前記インサートに接続されてなることを特徴とする、盛土地盤造成用インサートと丸鋼製支持バーの接続構造。
【発明の詳細な説明】
【０００１】
【発明の属する技術分野】本発明は、盛土地盤を造成するときに、土留め用コンクリートパネルに埋設したインサートに、盛土地盤側に埋設してコンクリートパネルを支承する丸鋼製支持バーを接続するのに好適な、盛土地盤造成用インサートと丸鋼製支持バーの接続構造に関する。
【０００２】
【従来の技術】従来、この種のインサートと支持バーの接続構造において、一方のインサートは、一般に図５中符号１で示すととおり、内周に雌ねじ２ａを切ったねじ穴２を設け、土留め用コンクリートパネル３内での定着用にサークルアンカー４を付設した構成になっている。他方、盛土地盤５に埋設する支持バー６は、異形棒鋼や丸棒製で、その軸部６ａの両端にねじ部６ｂ・６ｃを設け、盛土地盤５の奥側でねじ部６ｂにナット７・７を螺合してアンカープレート８を締着する構成になっている。
【０００３】
一般に、盛土地盤５を造成するときは、図６（ａ）に示すように、既存の支持地盤ａ上のコンクリートパネル設置位置ｔに、コンクリート基礎工を施して後、同図（ｂ）に示す如くコンクリートパネル３をサポート材ｓで支えて立設する。次いで、同図（ｃ）に示すように、支持バー６の一端を接続してコンクリートパネル３に取り付け、他端にナット７・７を螺着してアンカープレート８を締着する。支持バー６の一端をインサート１に接続するときは、図５に示すとおり、ねじ部６ｃを、インサート１のねじ穴２に捩じ込んで雌ねじ２ａに螺着する。一方、支持バー６の他端側は、支持地盤ａ中にコンクリート定着材を注入して定着させる。
【０００４】
このようにコンクリートパネル３などを支持地盤ａ上にセットして後、図６（ｄ）に示すようにブルトーザｂで盛土材９をまき出して後、同図（ｅ）に示す如く大型のロードローラｒで転圧する。そして、同図（ｆ）に示すように、コンクリートパネル３の近傍を、小型締固め装置（図示省略）で慎重に締め固めて新たな地盤層ｄを先ず構築する。こうして後、図６（ｃ）〜（ｆ）の施工手順を繰り返し、多段に地盤層を積層して所定高さの盛土地盤５を造成する。
【０００５】
【発明が解決しようとする課題】ところが、従来、上述したインサートと支持バーの接続構造において、支持バー６は、通常、図５に示すように、軸部６ａをねじ部６ｂ・６ｃの雄ねじの山径と略同径に形成され、細径なねじ部６ｃでのみ、ねじ穴２と螺合してインサート１に接続している。そのため、支持バー６は、外部から剪断力が加わると、軸部６ａではその断面で剪断力を受けられるが、インサート１とのジョイント部分では、外径の比較的小さい雄ねじの山と谷の略中間位置での断面で剪断力を受けることになる。その結果、従来の接続構造では、支持バー６におけるインサート１とのジョイント部において、特に剪断耐力が弱いという欠陥があった。
【０００６】
したがって、従来、上述のような盛土地盤の造成時に、ブルトーザｂで盛土材をまき出したり、大型ロードローラｒで転圧したりする際、上方から地盤層ｄ内の支持バー６に剪断力が加わると、この剪断力に耐えきれずに支持バー６が折れたりして破損していまうという課題があった。
【０００７】
そこで、本発明の目的は、盛土地盤造成用インサートと丸鋼製支持バーの接続構造において、支持バーにおける剪断耐力を高め、盛土地盤の造成時に剪断力を受けて支持バーが折れたりして破損することを防止することにある。
【０００８】
【課題を解決するための手段】そのため、上記した課題を解決すべく、請求項１に記載の発明は、たとえば以下に図面を用いて説明する実施の形態に示すとおり、軸部１０の両端にねじ部１１・１２を有する丸鋼製の支持バーＢであって、一端ねじ部１１を、盛土地盤Ｇの土留め用コンクリートパネルＰに埋設したインサートＩの接続穴１５に挿入して螺着する一方、他端ねじ部１２に、前記盛土地盤Ｇ側でアンカープレート１４を螺着して前記コンクリートパネルＰを支承する支持バーＢを、前記インサートＩに接続する盛土地盤造成用インサートと丸鋼製支持バーの接続構造において、該インサートＩの接続穴１５には、前記支持バーＢの一端ねじ部１１に合わせて深さ方向奥側に、雌ねじ部１５ａを形成する一方、前記接続穴１５の挿入口１６から前記雌ねじ部１５ａまでの深さ範囲に、その雌ねじの谷径より大きく且つ前記支持バーＢの軸部１０と略同径の嵌合穴部１５ｂを形成し、前記支持バーＢは、その一端ねじ部１１を、前記接続穴１５に挿入して前記雌ねじ部１５ａに螺合すると、前記軸部１０が前記嵌合穴部１５ｂの深さ分だけ該嵌合穴部１５ｂに嵌合して前記インサートＩに接続されてなることを特徴とする。
【０００９】
【発明の実施の形態】以下、図面を参照しつつ、本発明の実施の形態について説明する。
【００１０】
図１には、盛土地盤の造成地において、本発明によるインサートと支持バーの接続構造を適用して両者を接続した状態を示し、図２にその接続構造の要部を示している。図中符号Ｐは、土留め用コンクリートパネル、符号Ｇは、コンクリートパネルＰで土留めして造成された盛土地盤、符号Ｂは、盛土地盤Ｇに埋設した支持バー、符号Ｉは、支持バーＢの一端を接続するインサートである。
【００１１】
土留め用コンクリートパネルＰは、盛土地盤Ｇの規模に応じて、適宜サイズ（たとえば厚さ１０ｃｍ、幅２ｍ、高さ１．８ｍ）に成形された鉄筋コンクリート板からなる。このコンクリートパネルＰには、支持バーＢを接続するインサートＩが埋設されている。
【００１２】
支持バーＢは、例えば異形棒鋼又は丸棒等からなる丸鋼製棒体で、盛土地盤の転圧施工時にコンクリートパネルＰに与える影響などを勘案して必要な長さのものが選択的に使用される。図示例では２ｍの丸棒を使用している。そして、支持バーＢは、たとえば直径が約１８ｍｍの軸部１０における両端に、それぞれ山径が軸部１０と略同じ１８ｍｍの雄ねじを切ったねじ部１１・１２を設けてなる。ねじ部１１・１２は、軸部１０の両端側において、たとえば３５ｍｍ程度の長さ範囲に渡って形成されている。
【００１３】
そして、図示支持バーＢには、盛土地盤Ｇの奥側において、ねじ部１２に、一対のナット１３・１３を螺合してアンカープレート１４を締着する構成になっている。図示例のアンカープレート１４は、中心にバー挿通穴を有し、たとえば防錆処理を施した方形板状の平鋼からなる。
【００１４】
一方、インサートＩは、両端開放の貫通穴からなる接続穴１５を有し、例えば全長約７５ｍｍの管状に形成され、基端外周に環状鍔部１７を設けてなる。図示インサートＩにおいて、特に接続穴１５には、支持バーＢの一端ねじ部１１に合わせて、深さ方向奥側の内周壁に、雌ねじを切って雌ねじ部１５ａを設けてなる。一方、先端側の挿入口１６から雌ねじ部１５ａまでの深さ範囲（例えば３０ｍｍ〜３２ｍｍ）に渡る内周壁には、雌ねじの谷径Ｄより大きく且つ支持バーＢの軸部１０と略同径の嵌合穴部１５ｂが設けられている。図示例において、雌ねじの谷径Ｄは、約１６ｍｍの大きさとし、嵌合穴部１５ｂの穴径Ｌは、約１８ｍｍの大きさとする。
【００１５】
そして、このインサートＩには、環状鍔部１７に、コンクリート定着用のサークルアンカー２０を付設するとともに、基端側の開口２１に、コンクリート材料の浸入を防止する保護キャップ２２を嵌着した構成になっている。なお、インサートＩとして、接続穴１５が貫通穴でなく有底型の穴からなる他のインサートを用いることができるのは、勿論である。その場合、保護キャップ２２は不用である。
【００１６】
サークルアンカー２０は、たとえば図３に示すように、インサートＩの外径に合わせて中心にバー挿通穴２０ａを有する。図示省略するが、このサークルアンカー２０の周りには、補強鉄筋として、コンクリートパネルＰの主鉄筋と並行させて数本の異形棒鋼を配設するようになっている。
【００１７】
なお、図示例のインサートＩは、サークルアンカー２０を基端部に付設したものであった。しかし、コンクリートパネルＰが比較的厚さのある場合には、公知ではあるが、基端部に二股のフックを有する、所謂Ｙ形インサートを使用することもできる。また、コンクリート定着用の差し筋を通す穴を基端部に有する、所謂Ｏ形インサートなど、そのほか各種のアンカー構成をもったインサートを使用することができる。
【００１８】
さて、前述した公知の盛土地盤施工方法（図６参照）に従って、盛土地盤Ｇを造成するときに、本発明による接続構造に基づき、支持バーＢをインサートＩに接続する場合について、以下に説明する。
【００１９】
例えば、まず既存の支持地盤上のコンクリートパネル設置位置に、コンクリート基礎工を施して後、コンクリートパネルＰをサポート材で支えて立設する。次いで、支持バーＢの一端ねじ部１１をインサートＩに接続してコンクリートパネルＰに取り付け、他端ねじ部１２にナット１３・１３を螺着してアンカープレート１４を締着する。支持バーＢの他端側は、支持地盤中にコンクリート定着材を注入して定着させる。しかる後、ブルトーザで盛土材をまき出して後、大型のロードローラで転圧する。そして、コンクリートパネルＰの近傍（例えば距離１ｍの近接範囲）は、小型締固め装置で締め固めて新たな地盤層を構築する。このようにして幾つか地盤層を積層し、たとえば図４に示すように、既存の支持地盤ａ上に盛土地盤Ｇを造成する。
【００２０】
そこで、本発明は、この盛土地盤Ｇの施工過程において、特に支持バーＢの一端ねじ部１１をインサートＩに接続するときは、図１および図２に示すように、一端ねじ部１１を接続穴１５に挿入し、その奥側の雌ねじ部１５ａに螺合する。すると同時に、支持バーＢは、軸部１０におけるねじ部１１寄りの同じ円柱部分１０ａが、嵌合穴部１５ｂの深さ分の長さにわたり、該嵌合穴部１５ｂに嵌合される。
【００２１】
したがって、支持バーＢは、それに対し盛土地盤Ｇの深さ方向の剪断力が作用したとき、軸部１０ではその断面で剪断力を受けるとともに、インサートＩとのジョイント部分でも、軸部１０と同じ大きな断面積の円柱部分１０ａにおいて、同様に剪断力を受けることができる。
【００２２】
その結果、支持バーＢをインサートＩに接続して後、ブルトーザで盛土材をまき出したり、大型ロードローラで転圧したりする際に、上方から地盤層内の支持バーＢに剪断力が加わっても、この剪断力は、インサートＩとのジョイント部分でも、外径の大きい円柱部分１０ａで受け止めて支持されるので、支持バーＢが折れたりして破損することが防止される。
【００２３】
【発明の効果】上述の如く構成した本発明によれば、次のような効果が得られる。
【００２４】
請求項１に記載の発明によれば、インサートの接続穴には、支持バーの一端ねじ部に合わせて深さ方向奥側に、雌ねじ部を形成する一方、接続穴の挿入口から雌ねじ部までの深さ範囲に、その雌ねじの谷径より大きく且つ支持バーの軸部と略同径の嵌合穴部を形成し、支持バーは、その一端ねじ部を、接続穴に挿入して雌ねじ部に螺合すると、軸部における一端ねじ部寄りの同じ円柱部分が、嵌合穴部の深さ分の長さにわたり嵌合してインサートに接続される構成であるため、支持バーは、それに対し盛土地盤の深さ方向の剪断力が作用したとしても、軸部ではその断面で剪断力を受けるとともに、インサートとのジョイント部分でも、軸部と同じ大きな断面積の円柱部分において、同様に剪断力を受けて十分に支持することができ、それだけ剪断耐力を飛躍的に向上させることができる。
【００２５】
従って、そのように支持バーにおける剪断耐力が高められる結果、盛土地盤の造成時に、従来の如くブルトーザで盛土材をまき出したり、大型ロードローラで転圧したりする際に、上方から地盤層内の支持バーに剪断力が加わっても、この剪断力に十分耐えることが可能となり、支持バーが折れたりして破損することを確実に防止することができる。
【図面の簡単な説明】
【図１】盛土地盤の造成地において、本発明による接続構造を適用してインサートと支持バーを接続した状態を示す縦断面図である。
【図２】本発明による接続構造の要部を示す部分拡大縦断面図である。
【図３】サークルアンカーを示す平面図である。
【図４】コンクリートパネルで土留めして造成を完了した盛土地盤を示す縦断面図である。
【図５】盛土地盤の造成地において、従来のインサートと支持バーの接続状態を示す縦断面図である。
【図６】盛土地盤の造成施工手順を説明する概略説明図である。
【符号の説明】
Ｂ　　　　　　　支持バー
Ｇ　　　　　　　盛土地盤
Ｉ　　　　　　　インサート
Ｐ　　　　　　　土留め用コンクリートパネル
１０　　　　　　軸部
１１・１２　　　ねじ部
１４　　　　　　アンカープレート
１５　　　　　　接続穴
１５ａ　　　　　雌ねじ部
１５ｂ　　　　　嵌合穴部
１６　　　　　　挿入口
２０　　　　　　サークルアンカー
【図１】
2004011364.tif 000003
【図２】
2004011364.tif 000004
【図３】
2004011364.tif 000005
【図４】
2004011364.tif 000006
【図５】
2004011364.tif 000007
【図６】
2004011364.tif 000008